(57)【要約】【課題】  発信者番号で可能な発信者を検出する方法及び通信装置の提供。【解決手段】  他の通信装置から呼び出しがある時、有限リソースの通信装置が発信者番号を取得し、並びに有限リソースの通信装置に保存した発信者番号に対して、設定された相似度基準により相似度比較を行ない、比較結果により発信者番号とそれに対応するクライアント氏名或いはニックネーム或いは代表番号を相似度が高いものから低いものに順に配列し、並びにそれを表示し、これによりユーザーが発信者の身分を判断するのを助け、更に有限リソースの通信装置に保存された発信者番号に呼び出した発信者番号がないために発信者のデータを表示できないことにより形成される不便を防止する。【選択図】        図２
2006197497.tif 000002
【特許請求の範囲】
【請求項１】
発信者番号で可能な発信者を検出する方法において、該方法は複数の通信装置と通信可能な有限リソースの通信装置に応用され、該有限リソースの通信装置は複数の通信末端機電話番号を保存し、該方法は、
（Ａ）呼び出しを受け取り並びに発信者番号を取得するステップ、
（Ｂ）上述の発信者番号を変換して発信者番号を文字列方式で表現するステップ、
（Ｃ）上述の有限リソースの通信装置に保存された文字列方式で保存された通信末端機電話番号を読み取るステップ、
（Ｄ）発信者番号の文字列を上述の通信装置に保存された通信末端機電話番号の文字列と、所定の相似度基準により相似度比較するステップ、
（Ｅ）相似度の程度により通信末端機電話番号を配列するステップ、
（Ｆ）配列後の通信末端機電話番号とそれに対応するクライアントデータを出力するステップ、
を包含することを特徴とする、発信者番号で可能な発信者を検出する方法。
【請求項２】
請求項１記載の発信者番号で可能な発信者を検出する方法において、（Ｂ）のステップで、発信者番号が国番号を包含している場合は、先に国番号を削除し、且つ（Ｃ）のステップで、有限リソースの通信装置に保存された通信末端機電話番号が国番号を包含する場合も先に国番号を削除することを特徴とする、発信者番号で可能な発信者を検出する方法。
【請求項３】
請求項１記載の発信者番号で可能な発信者を検出する方法において、（Ｄ）のステップで、相似度基準が発信者番号の文字列と有限リソースの通信装置に保存された通信末端機電話番号の文字列の差異とされることを特徴とする、発信者番号で可能な発信者を検出する方法。
【請求項４】
請求項１記載の発信者番号で可能な発信者を検出する方法において、（Ｅ）のステップで、相似度が高い通信末端機電話番号から相似度が低い通信末端機電話番号に順に配列することを特徴とする、発信者番号で可能な発信者を検出する方法。
【請求項５】
発信者番号で可能な発信者を検出する方法において、該方法は複数の通信装置と通信可能な有限リソースの通信装置に応用され、該有限リソースの通信装置は複数の通信末端機電話番号を保存し、該方法は、
（Ａ）呼び出しを受け取り並びに発信者番号を取得するステップ、
（Ｂ）上述の発信者番号を変換して発信者番号を整数方式で表現するステップ、
（Ｃ）上述の有限リソースの通信装置に保存された整数方式で保存された通信末端機電話番号を読み取るステップ、
（Ｄ）発信者番号の文字列を上述の通信装置に保存された通信末端機電話番号の文字列と、所定の相似度基準により相似度比較するステップ、
（Ｅ）相似度の程度により通信末端機電話番号を配列するステップ、
（Ｆ）配列後の通信末端機電話番号とそれに対応するクライアントデータを出力するステップ、
を包含することを特徴とする、発信者番号で可能な発信者を検出する方法。
【請求項６】
請求項５記載の発信者番号で可能な発信者を検出する方法において、（Ｂ）のステップで、発信者番号が国番号を包含している場合は、先に国番号を削除し、且つ（Ｃ）のステップで、有限リソースの通信装置に保存された通信末端機電話番号が国番号を包含する場合にも先に国番号を削除することを特徴とする、発信者番号で可能な発信者を検出する方法。
【請求項７】
請求項５記載の発信者番号で可能な発信者を検出する方法において、（Ｄ）のステップで、相似度基準が発信者番号の整数と有限リソースの通信装置に保存された通信末端機電話番号の整数間の演算により求められた差異の絶対値である差異値とされ、差異値が大きいものが相似度が小さいものとすることを特徴とする、発信者番号で可能な発信者を検出する方法。
【請求項８】
請求項５記載の発信者番号で可能な発信者を検出する方法において、（Ｅ）のステップで、差異値が小さい通信末端機電話番号から差異値が高い通信末端機電話番号に順に配列することを特徴とする、発信者番号で可能な発信者を検出する方法。
【請求項９】
発信者番号で可能な発信者を検出する方法において、該方法は複数の通信装置と通信可能な有限リソースの通信装置に応用され、該有限リソースの通信装置は複数の通信末端機電話番号を保存し、該方法は、
（Ａ）呼び出しを受け取り並びに発信者番号を取得するステップ、
（Ｂ）上述の発信者番号を変換して発信者番号を文字列方式で表現するステップ、
（Ｃ）上述の有限リソースの通信装置に保存された文字列方式で保存された通信末端機電話番号のうち、リーディング文字が発信者番号のリーディング文字と同じもののみを読み取るステップ、
（Ｄ）発信者番号の文字列を上述の通信装置に保存された通信末端機電話番号の文字列と、所定の相似度基準により相似度比較するステップ、
（Ｅ）相似度の程度により通信末端機電話番号を配列するステップ、
（Ｆ）配列後の通信末端機電話番号とそれに対応するクライアントデータを出力するステップ、
を包含することを特徴とする、発信者番号で可能な発信者を検出する方法。
【請求項１０】
請求項９記載の発信者番号で可能な発信者を検出する方法において、（Ｂ）のステップで、発信者番号が国番号を包含している場合は、先に国番号を削除し、且つ（Ｃ）のステップで、有限リソースの通信装置に保存された通信末端機電話番号が国番号を包含する場合も先に国番号を削除することを特徴とする、発信者番号で可能な発信者を検出する方法。
【請求項１１】
請求項９記載の発信者番号で可能な発信者を検出する方法において、（Ｄ）のステップで、相似度基準が発信者番号の文字列と有限リソースの通信装置に保存された通信末端機電話番号の文字列の差異とされることを特徴とする、発信者番号で可能な発信者を検出する方法。
【請求項１２】
請求項９記載の発信者番号で可能な発信者を検出する方法において、（Ｅ）のステップで、相似度が高い通信末端機電話番号から相似度が低い通信末端機電話番号に順に配列することを特徴とする、発信者番号で可能な発信者を検出する方法。
【請求項１３】
請求項９記載の発信者番号で可能な発信者を検出する方法において、（Ｃ）のステップで、リーディング文字がエリアコードとされたことを特徴とする、発信者番号で可能な発信者を検出する方法。
【請求項１４】
請求項９記載の発信者番号で可能な発信者を検出する方法において、（Ｃ）のステップで、リーディング文字がネットワーク接続業者の代表番号とされたことを特徴とする、発信者番号で可能な発信者を検出する方法。
【請求項１５】
発信者番号で可能な発信者を検出する有限リソースの通信装置において、
通信信号受信伝送器と、
通信伝送信号を処理する信号処理器と、
複数の通信末端機電話番号及びその関係データを保存するメモリ装置と、
受信した発信者番号と該メモリ装置内の通信末端機電話番号との差異を比較する比較器と、
該比較器の比較後の結果により通信末端機電話番号を配列するシーケンサーと、
該シーケンサーが配列した後の通信末端機電話番号とそれに関係するデータを出力する表示装置と、
を具えたことを特徴とする、発信者番号で可能な発信者を検出する有限リソースの通信装置。
【請求項１６】
請求項１５記載の発信者番号で可能な発信者を検出する有限リソースの通信装置において、有限リソースの通信装置が携帯電話とされたことを特徴とする、発信者番号で可能な発信者を検出する有限リソースの通信装置。
【請求項１７】
請求項１５記載の発信者番号で可能な発信者を検出する有限リソースの通信装置において、有限リソースの通信装置がＰＤＡとされたことを特徴とする、発信者番号で可能な発信者を検出する有限リソースの通信装置。
【請求項１８】
請求項１５記載の発信者番号で可能な発信者を検出する有限リソースの通信装置において、有限リソースの通信装置がスマートフォンとされたことを特徴とする、発信者番号で可能な発信者を検出する有限リソースの通信装置。
【発明の詳細な説明】
【技術分野】
【０００１】
本発明は通信技術に係り、特に発信者番号で可能な発信者を検出する方法及びこの方法を実践する通信装置に関する。
【背景技術】
【０００２】
現代の社会にあって、携帯電話は個人の日常生活に不可欠な生活必需品の一つとなっている。携帯電話は使用者がいつでもどこでも他人から最新情報を取得できるようにするが、携帯電話の受信する発信者番号は電話番号とされ、使用者は発信者の身分（例えば氏名或いはニックネーム或いは代表番号）を認識できず、使用者に不都合をもたらすことがよくある。
【０００３】
周知の技術においては、使用者に発信者が誰であるかを了解させるため、携帯電話の電話番号帳に予め通信末端機の電話番号とそれに対応する氏名を予め入力し、携帯電話が呼び出しを受けた時、該携帯電話が発信者番号信号（ｃａｌｌｅｒ−ｉｄ  ｓｉｇｎａｌ）を取り出し、更にその電話番号を携帯電話の電話番号帳内に保存されたクライアントの電話番号と比較し、これにより予め保存された発信者の情報（例えば氏名）を読み取る。もし電話番号帳中に発信者番号に完全に符合する電話番号があれば、その電話番号に対応する相手の情報（例えば氏名）を読み取る。もし電話番号帳中に完全に発信者番号に符合する電話番号がなければ、ただこの発信者番号のみを表示する。一般に、使用者は通信末端機の番号を記憶しておらず、発信者番号で発信者をふるい分けするのは非常に難しい。総合すると、この周知の技術は発信者番号を比較して完全に符合する情況でなければ発信者情報を表示できず、比較が符合しなければ、発信者データを表示できない。例えば、クライアント単位（例えば中小企業）が連続する電話番号ブロック、例えば１２３４５６７０から１２３４５６７９の１０線を使用するなら、このクライアント単位はランダム方式で上述の１０線中の１線より発信する（例えば構内交換機ＰＢＸを使用する時）。通常上述の１０線中の１線は代表番号とされ公開され、例えば社員の名詞に印刷されている。ただし、携帯電話の電話番号帳に上述の代表番号のみ保存されていると、上述の１０線のその他のいずれかの１線から発信された場合に、比較時に完全に符合する電話番号が見つからず、このため使用上の問題が形成される。
【発明の開示】
【発明が解決しようとする課題】
【０００４】
本発明の目的は、一種の発信者番号で可能な発信者を検出する方法を提供することにあり、それは有限リソースの通信装置（ｌｉｍｉｔｅｄ−ｒｅｓｏｕｒｃｅ  ｃｏｍｍｕｎｉｃａｔｉｏｎ  ｄｅｖｉｃｅ）、例えば携帯電話或いはＰＤＡに応用され、上述の通信装置には複数の通信末端機の電話番号、クライアント氏名、及びその間の対応関係が保存される。この方法は、上述の通信装置が呼び出しを受けた時、以下のステップを有する。即ち、（Ａ）発信者番号の取得、（Ｂ）上述の発信者番号を変換して発信者番号を文字列方式で表現する、（Ｃ）上述の通信装置に保存された通信末端機の電話番号を重複して読み取る、（Ｄ）発信者番号の文字列と上述の通信装置に保存された通信末端機電話番号の文字列との文字列相似度を比較し、そのうち、相似度は、発信者番号の文字列と上述の通信装置に保存された通信末端機電話番号の文字列の差異を指す、（Ｅ）相似度の程度により配列を行なう、（Ｆ）配列後の通信末端機電話番号とそれに対応するクライアント氏名或いはニックネーム或いは代表番号を出力し、使用者による発信者の身分の判断を助ける（特に発信が複数の通信装置からのものである時）。このほか、実施時に、上述の発信者番号或いは通信装置に保存された通信末端機電話番号が国番号を包含するなら、国番号を先に削除し、且つ通信装置に保存された通信末端機電話番号は文字列方式で保存する。また、実施時に、発信者番号と通信装置に保存された通信末端機電話番号の文字列相似度比較の前に、両者のリーディング文字を先に比較する。比較結果が符合しなければ、両者の相似度は零（即ち、完全に不相似）とされる。比較の結果が符合すれば、後続の文字相似度比較を行なう。上述の通信装置に保存された通信末端機電話番号の配列方式は、相似度が高い通信末端機電話番号から相似度が低い通信末端機電話番号に順に配列するものとされる。これにより、本発明は使用者が発信者の身分を判断するのを助け、これにより発信者番号が通信装置に保存された通信末端機電話番号でない時に、発信者に関係する情報（例えば氏名、ニックネーム或いは代表番号）を表示できない問題を防止し、使用上の便利性を増すことができる。
【０００５】
本発明のこのほかの実施態様によると、上述の発信者番号と有限リソースの通信装置に保存された通信末端機電話番号を整数方式で現出させ、並びに発信者番号と通信末端機電話番号の相似度比較を行い、実施時には、発信者番号と通信末端機電話番号の差異値の絶対値演算を行ない、別にこの演算結果を以て配列を行ない、差異値の低い通信末端機電話番号から差異値の高い通信末端機電話番号の順に配列し、並びに配列の結果を出力し、これによっても前述のものと相似の機能を達成することができる。このほか、実施時に、発信者番号或いは上述の通信装置に保存された通信末端機電話番号が国番号を包含する時は、まず国番号を削除し、且つ上述の通信装置に保存された通信末端機電話番号を整数（ｉｎｔｅｇｅｒ）方式で保存する。別に実施時に、発信者番号と通信装置に保存された通信末端機電話番号の数値（ｖａｌｕｅ）相似度を比較する前に、両者のリーディング数字（ｄｉｇｉｔ）を先に比較する。比較の結果、符合しなければ両者の相似度は零（即ち完全に不相似）とされ、符合すれば更に後続の数値相似度比較を行なう。
【０００６】
上述の方法はメモリ或いはメモリ装置のような保存媒体に記録されたプログラムを利用して実現され、このプログラムは通信装置中にロードされて上述の可能な発信者検出方法を実行する。ゆえに本発明の別の目的は、発信者番号で可能な発信者を検出する通信装置を提供することにある。実施時に、この通信装置は、信号受信伝送ユニット、伝送信号を処理する信号処理ユニット、複数の通信末端機電話番号とそれに関する情報を保存したメモリ装置内の電話番号帳、上述の信号処理ユニットが取得した発信者番号とメモリ装置内の通信末端機電話番号の相似度を比較する比較ユニット、比較ユニットの比較後の結果により通信末端機電話番号を配列する配列ユニット、及び配列ユニットが出力したデータを表示する表示装置、を具えている。
【課題を解決するための手段】
【０００７】
請求項１の発明は、発信者番号で可能な発信者を検出する方法において、該方法は複数の通信装置と通信可能な有限リソースの通信装置に応用され、該有限リソースの通信装置は複数の通信末端機電話番号を保存し、該方法は、
（Ａ）呼び出しを受け取り並びに発信者番号を取得するステップ、
（Ｂ）上述の発信者番号を変換して発信者番号を文字列方式で表現するステップ、
（Ｃ）上述の有限リソースの通信装置に保存された文字列方式で保存された通信末端機電話番号を読み取るステップ、
（Ｄ）発信者番号の文字列を上述の通信装置に保存された通信末端機電話番号の文字列と、所定の相似度基準により相似度比較するステップ、
（Ｅ）相似度の程度により通信末端機電話番号を配列するステップ、
（Ｆ）配列後の通信末端機電話番号とそれに対応するクライアントデータを出力するステップ、
を包含することを特徴とする、発信者番号で可能な発信者を検出する方法としている。
請求項２の発明は、請求項１記載の発信者番号で可能な発信者を検出する方法において、（Ｂ）のステップで、発信者番号が国番号を包含している場合は、先に国番号を削除し、且つ（Ｃ）のステップで、有限リソースの通信装置に保存された通信末端機電話番号が国番号を包含する場合も先に国番号を削除することを特徴とする、発信者番号で可能な発信者を検出する方法としている。
請求項３の発明は、請求項１記載の発信者番号で可能な発信者を検出する方法において、（Ｄ）のステップで、相似度基準が発信者番号の文字列と有限リソースの通信装置に保存された通信末端機電話番号の文字列の差異とされることを特徴とする、発信者番号で可能な発信者を検出する方法としている。
請求項４の発明は、請求項１記載の発信者番号で可能な発信者を検出する方法において、（Ｅ）のステップで、相似度が高い通信末端機電話番号から相似度が低い通信末端機電話番号に順に配列することを特徴とする、発信者番号で可能な発信者を検出する方法としている。
請求項５の発明は、発信者番号で可能な発信者を検出する方法において、該方法は複数の通信装置と通信可能な有限リソースの通信装置に応用され、該有限リソースの通信装置は複数の通信末端機電話番号を保存し、該方法は、
（Ａ）呼び出しを受け取り並びに発信者番号を取得するステップ、
（Ｂ）上述の発信者番号を変換して発信者番号を整数方式で表現するステップ、
（Ｃ）上述の有限リソースの通信装置に保存された整数方式で保存された通信末端機電話番号を読み取るステップ、
（Ｄ）発信者番号の文字列を上述の通信装置に保存された通信末端機電話番号の文字列と、所定の相似度基準により相似度比較するステップ、
（Ｅ）相似度の程度により通信末端機電話番号を配列するステップ、
（Ｆ）配列後の通信末端機電話番号とそれに対応するクライアントデータを出力するステップ、
を包含することを特徴とする、発信者番号で可能な発信者を検出する方法としている。
請求項６の発明は、請求項５記載の発信者番号で可能な発信者を検出する方法において、（Ｂ）のステップで、発信者番号が国番号を包含している場合は、先に国番号を削除し、且つ（Ｃ）のステップで、有限リソースの通信装置に保存された通信末端機電話番号が国番号を包含する場合にも先に国番号を削除することを特徴とする、発信者番号で可能な発信者を検出する方法としている。
請求項７の発明は、請求項５記載の発信者番号で可能な発信者を検出する方法において、（Ｄ）のステップで、相似度基準が発信者番号の整数と有限リソースの通信装置に保存された通信末端機電話番号の整数間の演算により求められた差異の絶対値である差異値とされ、差異値が大きいものが相似度が小さいものとすることを特徴とする、発信者番号で可能な発信者を検出する方法としている。
請求項８の発明は、請求項５記載の発信者番号で可能な発信者を検出する方法において、（Ｅ）のステップで、差異値が小さい通信末端機電話番号から差異値が高い通信末端機電話番号に順に配列することを特徴とする、発信者番号で可能な発信者を検出する方法としている。
請求項９の発明は、発信者番号で可能な発信者を検出する方法において、該方法は複数の通信装置と通信可能な有限リソースの通信装置に応用され、該有限リソースの通信装置は複数の通信末端機電話番号を保存し、該方法は、
（Ａ）呼び出しを受け取り並びに発信者番号を取得するステップ、
（Ｂ）上述の発信者番号を変換して発信者番号を文字列方式で表現するステップ、
（Ｃ）上述の有限リソースの通信装置に保存された文字列方式で保存された通信末端機電話番号のうち、リーディング文字が発信者番号のリーディング文字と同じもののみを読み取るステップ、
（Ｄ）発信者番号の文字列を上述の通信装置に保存された通信末端機電話番号の文字列と、所定の相似度基準により相似度比較するステップ、
（Ｅ）相似度の程度により通信末端機電話番号を配列するステップ、
（Ｆ）配列後の通信末端機電話番号とそれに対応するクライアントデータを出力するステップ、
を包含することを特徴とする、発信者番号で可能な発信者を検出する方法としている。
請求項１０の発明は、請求項９記載の発信者番号で可能な発信者を検出する方法において、（Ｂ）のステップで、発信者番号が国番号を包含している場合は、先に国番号を削除し、且つ（Ｃ）のステップで、有限リソースの通信装置に保存された通信末端機電話番号が国番号を包含する場合も先に国番号を削除することを特徴とする、発信者番号で可能な発信者を検出する方法としている。
請求項１１の発明は、請求項９記載の発信者番号で可能な発信者を検出する方法において、（Ｄ）のステップで、相似度基準が発信者番号の文字列と有限リソースの通信装置に保存された通信末端機電話番号の文字列の差異とされることを特徴とする、発信者番号で可能な発信者を検出する方法としている。
請求項１２の発明は、請求項９記載の発信者番号で可能な発信者を検出する方法において、（Ｅ）のステップで、相似度が高い通信末端機電話番号から相似度が低い通信末端機電話番号に順に配列することを特徴とする、発信者番号で可能な発信者を検出する方法としている。
請求項１３の発明は、請求項９記載の発信者番号で可能な発信者を検出する方法において、（Ｃ）のステップで、リーディング文字がエリアコードとされたことを特徴とする、発信者番号で可能な発信者を検出する方法としている。
請求項１４の発明は、請求項９記載の発信者番号で可能な発信者を検出する方法において、（Ｃ）のステップで、リーディング文字がネットワーク接続業者の代表番号とされたことを特徴とする、発信者番号で可能な発信者を検出する方法としている。
請求項１５の発明は、発信者番号で可能な発信者を検出する有限リソースの通信装置において、
通信信号受信伝送器と、
通信伝送信号を処理する信号処理器と、
複数の通信末端機電話番号及びその関係データを保存するメモリ装置と、
受信した発信者番号と該メモリ装置内の通信末端機電話番号との差異を比較する比較器と、
該比較器の比較後の結果により通信末端機電話番号を配列するシーケンサーと、
該シーケンサーが配列した後の通信末端機電話番号とそれに関係するデータを出力する表示装置と、
を具えたことを特徴とする、発信者番号で可能な発信者を検出する有限リソースの通信装置としている。
請求項１６の発明は、請求項１５記載の発信者番号で可能な発信者を検出する有限リソースの通信装置において、有限リソースの通信装置が携帯電話とされたことを特徴とする、発信者番号で可能な発信者を検出する有限リソースの通信装置としている。
請求項１７の発明は、請求項１５記載の発信者番号で可能な発信者を検出する有限リソースの通信装置において、有限リソースの通信装置がＰＤＡとされたことを特徴とする、発信者番号で可能な発信者を検出する有限リソースの通信装置としている。
請求項１８の発明は、請求項１５記載の発信者番号で可能な発信者を検出する有限リソースの通信装置において、有限リソースの通信装置がスマートフォンとされたことを特徴とする、発信者番号で可能な発信者を検出する有限リソースの通信装置としている。
【発明の効果】
【０００８】
本発明は発信者番号を通信装置に保存された通信末端機電話番号と比較し、並びにその比較結果により通信末端機電話番号を相似度が高いものから低いものの順に配列し、並びにそれに対応するクライアント氏名、ニックネーム或いは代表番号を表示し、これにより使用者が発信者の身分を判断するのを助け、発信者番号（特に発信が複数の通信装置を具えた発信者からのものである時）が通信装置に保存された通信末端機電話番号ではない時に発信者の情報を表示できない問題を防止し、使用上の便利性を増すことができる。
【発明を実施するための最良の形態】
【０００９】
以下に多線を具えたクライアントからの発信識別の問題を改善する本発明の発信者番号で可能な発信者を検出する方法及び通信装置の部分実施例を提示する。以下の発信者番号及び通信装置に保存された通信末端機電話番号は電話番号を例としているが、これに限定されるものではない。
【００１０】
図１は通信システム実施例の表示図である。通信装置１０及び複数の通信装置５０は、有線或いは無線方式で通信ネットワーク６に接続されている。通信装置１０は無線電話機、或いは無線通信機能を具えた手持ち装置等の有限リソースの通信装置、例えば、ＰＤＡとされる。グループ５は、複数の通信装置５０を包含する。例えば、グループ５は一つのクライアント単位が使用する複数の電話とされる。通信装置１０と通信装置５０は相互に電話に通話のやりとり或いはメッセージ送受信を行なうことができる。複数の通信装置中には二種類の情況がありうる。情況の一つは、各通信装置がそれぞれ一つの発信者番号に対応し、且つ異なる通信装置は異なる発信者番号に対応する、という情況である。もう一つの情況は、各通信装置が一組の発信者番号のいずれか一つに不固定的に対応し（例えば、上述の通信システムの複数の通信装置がＰＢＸ  ７を通して通信ネットワークに接続されている）、上述の複数の通信装置がそのうちの一つの発信者番号でダイアルする時には、複数の発信者番号グループ中の任意の一つの発信者番号に自動的に設定される。グループ５は一つの発信者番号グループに対応し、発信者番号グループには複数の発信者番号が包含される。
【００１１】
図２は通信装置の実施例のロジック機能ブロック図である。それは通信信号受信伝送器１１、信号処理器１２、比較器１３、シーケンサー１４、メモリ装置１５、表示装置１６、及び選択制御ユニット１７を包含する。そのうち、前述のメモリ装置１５は電話番号帳を保存し、該電話番号帳内に一群の電話番号及びその電話番号使用者の関係データ、例えば氏名、及び会社名称等が包含される。本実施例では、通信装置１０は携帯電話とされるが、ＰＤＡ、スマートフォン等、同じ機能を有する通信装置とされうる。携帯電話（通信装置１０）が発信者番号を受け取った時、比較器１３により発信者番号とメモリ装置１５内に保存された電話番号が、所定の相似度基準（ｃｒｉｔｅｒｉａ）により相似度比較され、並びに比較結果によりメモリ装置１５内に保存された電話番号が順序付けされて出力され、携帯電話（通信装置１０）の使用者がこれにより可能な発信者の身分を識別できる。
【００１２】
実施例１：
図２の構造の運転は図３のフローチャートに示されるとおりである。まず、ステップ（Ｓ２０１）において、携帯電話（通信装置１０）が通信信号受信伝送器１１を通して呼び出しを受ける時、信号処理器１２により呼び出し信号中に包含される発信者番号を取り出す。本実施例では、発信者番号は発信者電話番号Ｓ１とされ、並びに発信者電話番号Ｓ１が文字列方式で現出される（Ｓ２０２）。ただし発信者電話番号Ｓ１は国番号を包含し得て、例えば受信した発信者電話番号が８８６−１２３４５６７８（８８６は台湾の国番号）であれば、先ずその国番号である８８６を削除する（Ｓ２０３）。続いて国番号削除後の発信者電話番号Ｓ１を比較器１３に送る。この時、比較器１３はメモリ装置１５中より通信末端機電話番号Ｓ２を読み出す（Ｓ２０４）。本実施例では、通信末端機電話番号Ｓ２は文字列方式でメモリ装置１５中に保存され、もし通信末端機電話番号Ｓ２が国番号を具えていれば先にその国番号を削除する（Ｓ２０５）。ステップＳ２０６において、発信者電話番号Ｓ１の文字列と携帯電話（通信装置１０）に保存された通信末端機電話番号Ｓ２の文字列を、所定の相似度基準（ｃｒｉｔｅｒｉａ）により相似度比較する。この相似度基準（ｃｒｉｔｅｒｉａ）は二つの文字列間に同じでない文字がいくつあるかとされ、例えば、発信者電話番号Ｓ１が１２３４５６７８で、携帯電話（通信装置１０）に保存された通信末端機電話番号Ｓ２が１２３４５６７７であれば二つの文字列の差異は一つの文字であり、また、電話番号Ｓ２が１２３４５６６６であれば、二つの文字列の差異は二つの文字である。発信者電話番号Ｓ１と保存された電話番号Ｓ２の比較終了後に、その比較結果がシーケンサー１４に送られ、配列が行なわれる（Ｓ２０７）。配列方式は相似度が高い電話番号Ｓ２から相似度が低い電話番号に配列され、並びにその配列の結果により、電話番号Ｓ２及びそれに関係するデータが表示装置１６に送られ、オーディオ、ビデオ信号、人類の感覚器官が察知できる方式或いはその他の方式で表示され（Ｓ２０８）、これにより、携帯電話（通信装置１０）の使用者がその配列結果により発信者の身分を判断するのを助け、この時使用者はその選択制御ユニット１７（実施時には、該選択制御ユニット１７はキー或いはタッチスクリーン或いは操縦盤或いは音声制御装置等とされうる）によりこの電話を取るか否かをを決定できる。また、発信者電話番号Ｓ１と保存された電話番号Ｓ２が同じ発信者の複数の通信装置のものと判断する時、選択制御ユニット１７により表示装置１６中に表示された配列中の保存された電話番号Ｓ２を選択し、発信者電話番号Ｓ１を携帯電話（通信装置１０）のメモリ装置１５中に保存し、発信者電話番号Ｓ１に対応する関係データ（氏名或いはニックネーム或いは代表番号）が自動的に電話番号Ｓ２に対応する関係データに設定される（即ちＳ１とＳ２が同じ関係データに対応させられる）。周知の技術と比較すると、使用者が発信者電話番号Ｓ１の電話番号帳への保存を選択する時、手動でＳ２に対応する関係データを入力しなければならない。本実施例では、上述の各文字の違いを比較することで相似度の高低を決定し、この相似度基準（ｃｒｉｔｅｒｉａ）はまた文字の重みの設定とされ得て、例えば左側の文字の重みを比較的高く設定し、文字比較結果が同じ時、その重みにより相似度の高低を決定する。こうして電話番号Ｓ１が１２３４５６７８で、携帯電話（通信装置１０）に保存された通信末端機電話番号Ｓ２が１２３４５６７７及び１２３４５６８８である時、Ｓ１とＳ２の差異はいずれも一つの文字であるが、そのうち、１２３４５６７７と発信者電話番号Ｓ１の異なる文字は最も右の文字であり、重みが比較的軽く、１２３４５６８８と発信者電話番号Ｓ１の異なる文字は右から二番目の文字であり、重みが比較的重いため、ゆえに同様に一文字の違いであっても、後者の差異が比較的大きいものとされる。即ち、１２３４５６７７の相似度は１２３４５６８８より高いものとされる。
【００１３】
実施例２：
実施例１中、上述の二つの文字列間の差異性の比較方式は、文字の差異により比較するほか、相似度基準（ｃｒｉｔｅｒｉａ）を連続文字符合数の方式により比較するよう設定できる。例えば、発信者電話番号Ｓ１が１２３４５６７８であり、携帯電話（通信装置１０）に保存された通信末端機電話番号Ｓ２が１２３４５６７７及び１２３４７６７８である時、１２３４５６７７は左から７個の連続文字が発信者電話番号Ｓ１と符合し、１２３４７６７８は僅かに４つの連続文字が発信者電話番号Ｓ１と符合するため、１２３４５６７７の相似度は１２３４７６７８より高いものとされる。
【００１４】
実施例３：
図４に示される本発明の別の実施例のフローチャート、及び図２のロジック機能ブロック図を参照されたい。まず、ステップＳ３０１において、携帯電話（通信装置１０）が通信信号受信伝送器１１を通して呼び出しを受ける時、信号処理器１２により呼び出し信号中に包含される発信者番号を取り出す。本実施例では、発信者番号は発信者電話番号Ｓ１とされ、並びに発信者電話番号Ｓ１を変換して整数方式で現出する（Ｓ３０２）。ただし発信者電話番号Ｓ１が国番号を包含する場合、例えば受信した発信者電話番号が８８６−１２３４５６７８（８８６は台湾の国番号）であれば、先ずその国番号である８８６を削除する（Ｓ２０３）。続いて国番号削除後の発信者電話番号Ｓ１を比較器１３に送る。この時、比較器１３はメモリ装置１５中より通信末端機電話番号Ｓ２を読み出す（Ｓ３０４）。本実施例では、通信末端機電話番号Ｓ２は整数方式でメモリ装置１５中に保存され、通信末端機電話番号Ｓ２が国番号を具えていれば先にその国番号を削除する（Ｓ３０５）。ステップＳ３０６において、予め設定された相似度基準（ｃｒｉｔｅｒｉａ）により両者の間の相似度比較を行ない、この相似度基準（ｃｒｉｔｅｒｉａ）は二つの整数の差異の絶対値とされ、即ち、発信者電話番号Ｓ１の文字列と携帯電話（通信装置１０）に保存された通信末端機電話番号Ｓ２に差異値の絶対値演算を行ない、差異値を求める。例えば、発信者電話番号Ｓ１が１２３４５６７８で、携帯電話（通信装置１０）に保存された通信末端機電話番号Ｓ２が１２３４５６７９であれば二つの電話番号の差異絶対値は１０であり、発信者電話番号と１２３４５６７９の差異絶対値は、発信者電話番号と１２３４５６６８の差異絶対値より小さいため、１２３４５６７９の相似度は１２３４５６６８の相似度より高いことを示し、即ちその演算後の差異値がシーケンサー１４に送られて配列が行なわれる（Ｓ３０７）。配列方式は相似度が高い電話番号Ｓ２から相似度が低い電話番号に配列され、並びにその配列の結果により、電話番号Ｓ２及びそれに関係するデータが表示装置１６に送られ、オーディオ、ビデオ信号、人類の感覚器官が察知できる方式或いはその他の方式で表示され（Ｓ３０８）、これにより、携帯電話（通信装置１０）の使用者がその配列結果により発信者の身分を判断するのを助け、この時使用者はその選択制御ユニット１７によりこの電話を取るか否かをを決定できる。また、発信者電話番号Ｓ１と保存された電話番号Ｓ２が同じ発信者の複数の通信装置のものと判断する時、選択制御ユニット１７により表示装置１６中に表示された配列中の保存された電話番号Ｓ２を選択し、発信者電話番号Ｓ１を携帯電話（通信装置１０）のメモリ装置１５中に保存し、発信者電話番号Ｓ１に対応する関係データ（氏名或いはニックネーム或いは代表番号）が自動的に電話番号Ｓ２に対応する関係データに設定される（即ちＳ１とＳ２が同じ関係データに対応させられる）。周知の技術においては、使用者が発信者電話番号Ｓ１の電話番号帳への保存を選択する時、手動でＳ２に対応する関係データを入力しなければならなかった。
【００１５】
実施例４：
実施例３中、二つの整数間の差異性の比較方式は、二つの整数の差異の絶対値で比較するほか、相似度基準（ｃｒｉｔｅｒｉａ）は差異の絶対値演算で同じ値が得られた時、更にＳ１とＳ２の間のいくつの数字（ｄｉｇｉｔ）が異なるかを比較する。例えば電話番号Ｓ１が１２３４５６７８で、携帯電話（通信装置１０）に保存された通信末端機電話番号Ｓ２が１２３４５６７５及び１２３４７６８１である時、差異の絶対値演算結果はいずれも３であり、１２３４５６７５は一つの数字が発信者電話番号Ｓ１と異なり、１２３４７６８１は二つの数字が発信者電話番号Ｓ１と異なるため、１２３４５６７５の相似度は１２３４７６８１より高いものとされる。
【００１６】
実施例５：
図５に示される本発明の更に別の実施例のフローチャート、及び図２のロジック機能ブロック図を参照されたい。まず、ステップＳ４０１において、携帯電話（通信装置１０）が通信信号受信伝送器１１を通して呼び出しを受ける時、信号処理器１２により呼び出し信号中に包含される発信者番号を取り出す。本実施例では、発信者番号は発信者電話番号Ｓ１とされ、並びに発信者電話番号Ｓ１を変換して文字列方式で現出する（Ｓ４０２）。ただし発信者電話番号Ｓ１が国番号を包含する場合、例えば受信した発信者電話番号が８８６−１２３４５６７８（８８６は台湾の国番号）であれば、先ずその国番号である８８６を削除する（Ｓ４０３）。続いて国番号削除後の発信者電話番号Ｓ１を比較器１３に送る。この時、比較器１３はメモリ装置１５中より、発信者電話番号Ｓ１のリーディング文字と符合するリーディング文字の通信末端機電話番号Ｓ２を読み出す（Ｓ４０４）。本実施例では、リーディング文字はエリアコードとされ、例えば電話番号が１２３４５６７８であれば、例えばそのうちの１２３がエリアコードとされ、比較器１３はメモリ装置１５よりエリアコードが１２３の通信末端機電話番号Ｓ２のみを読み取り、エリアコードが１２３でないものは読み取らない。上述のリーディング文字はエリアコードとされるほか、接続業者の代表番号とされうる。上述の通信末端機電話番号Ｓ２は本実施例では文字列方式でメモリ装置１５中に保存される。読み取られた通信末端機電話番号Ｓ２が国番号を有する場合は、先に国番号を削除する必要がある。ステップ（Ｓ４０５）において、発信者電話番号Ｓ１文字列と携帯電話（通信装置１０）に保存された通信末端機電話番号Ｓ２文字列の相似度を、相似度基準（ｃｒｉｔｅｒｉａ）により比較する。この相似度基準（ｃｒｉｔｅｒｉａ）は実施例１或いは実施例２の基準とされる。発信者電話番号Ｓ１と通信末端機電話番号Ｓ２の比較終了後、この比較結果をシーケンサー１４に送り、配列を行なう（Ｓ４０６）。配列方式は相似度が高い電話番号Ｓ２から相似度が低い電話番号に配列され、並びにその配列の結果により、電話番号Ｓ２及びそれに関係するデータが表示装置１６に送られ、オーディオ、ビデオ信号、人類の感覚器官が察知できる方式或いはその他の方式で表示され（Ｓ４０７）、これにより、携帯電話（通信装置１０）の使用者がその配列結果により発信者の身分を判断するのを助け、この時使用者はその選択制御ユニット１７によりこの電話を取るか否かをを決定できる。また、発信者電話番号Ｓ１と保存された電話番号Ｓ２が同じ発信者の複数の通信装置のものと判断する時、選択制御ユニット１７により表示装置１６中に表示された配列中の保存された電話番号Ｓ２を選択し、発信者電話番号Ｓ１を携帯電話（通信装置１０）のメモリ装置１５中に保存し、発信者電話番号Ｓ１に対応する関係データ（氏名或いはニックネーム或いは代表番号）が自動的に電話番号Ｓ２に対応する関係データに設定される（即ちＳ１とＳ２が同じ関係データに対応させられる）。周知の技術においては、使用者が発信者電話番号Ｓ１の電話番号帳への保存を選択する時、手動でＳ２に対応する関係データを入力しなければならなかった。
【００１７】
実施例６：
実施例５中の上述のＳ１とＳ２の保存方式を整数方式で現出し、両者の間のリーディング数字（ｌｅａｄｉｎｇ  ｄｉｇｉｔｓ）を比較し、その後、Ｓ１とＳ２の間の相似度を実施例３或いは実施例４に述べられた相似度基準（ｃｒｉｔｅｒｉａ）により比較する。
【００１８】
以上の各実施例に説明されたとおり、本発明は、比較器１３により発信者電話番号Ｓ１と、携帯電話（通信装置１０）に保存された通信末端機電話番号Ｓ２の相似度比較を行ない、並びに比較結果をシーケンサー１４に送り配列を行ない、配列結果を表示装置１６に送り、複数の発信者番号を具えた通信装置からの呼び出しである時に使用者が発信者の身分を識別するのを助け、従来の技術における、発信者番号が電話番号帳に保存されていないために発信者に関係するデータを表示できない問題を防止し、使用上の便利性が高められている。
【００１９】
以上の実施例は本発明の範囲を限定するものではなく、以上の実施例の説明及び図面の記載に基づきなしうる細部の修飾或いは改変は、いずれも本発明の請求範囲に属するものとする。
【図面の簡単な説明】
【００２０】
【図１】周知の通信システム実施例の表示図である。
【図２】本発明の実施例のロジック機能ブロック図である。
【図３】本発明の実施例のフローチャートである。
【図４】本発明の別の実施例のフローチャートである。
【図５】本発明の更に別の実施例のフローチャートである。
【符号の説明】
【００２１】
１０  通信装置          １１  通信信号受信伝送器
１２  信号処理器        １３  比較器
１６  表示装置          １７  選択制御ユニット
Ｓ２０１〜Ｓ２０８  ステップ
Ｓ３０１〜Ｓ３０８  ステップ
Ｓ４０１〜Ｓ２０７  ステップ
【図１】
2006197497.tif 000003
【図２】
2006197497.tif 000004
【図３】
2006197497.tif 000005
【図４】
2006197497.tif 000006
【図５】
2006197497.tif 000007